(57)【特許請求の範囲】
【請求項１】
扉または引き出しの前板にレール型のライン取手が取り付けられた家具本体と、
前記家具本体の前記ライン取手に着脱自在に装着される物品支持具と
を備えた収納家具において、
前記ライン取手は、
下面壁と、
前記下面壁の後端縁から立ち上がる後面壁と、
前記後面壁の上端縁から前方に張り出す上面壁と、
前記上面壁の前端縁から前方に向かって斜め下方に垂下する傾斜垂下片とを備え、
前記物品支持具は、前方側から前記ライン取手に着脱自在に嵌着される嵌着部を備え、
前記嵌着部は、
前記傾斜垂下片に対応する前面上部に形成された突条と、
前記ライン取手に嵌着する際、前記ライン取手の前記下面壁に当接しながら後方側に移動する円弧状に面取りされた後方側下端コーナー部及び前記ライン取手の前記後面壁に当接しながら上方側に移動する円弧状に面取りされた後方側上端コーナー部とを有し、
前記嵌着部を前記ライン取手に嵌着する際、前記嵌着部の前記突条が前記傾斜垂下片を押圧することによって、前記傾斜垂下片を前方側に向かって斜め上方に弾性変形させるようになっており、
前記嵌着部が前記ライン取手に嵌着された状態では、前記嵌着部が前記ライン取手の前記上面壁と前記下面壁との間または前記傾斜垂下片と前記後面壁との間で突っ張るようになっていることを特徴とする収納家具。
【請求項２】
前記傾斜垂下片は、その前端縁が前記下面壁の前端縁よりも前方側に張り出している請求項１に記載の収納家具。
【請求項３】
前記傾斜垂下片の前端縁には、後方側に突出する突条が形成されており、
前記嵌着部を前記ライン取手に嵌着する際、前記嵌着部の前記突条が前記傾斜垂下片の前記突条を乗り越えるようになっており、
前記ライン取手に嵌着した状態で、前記嵌着部に形成された前記突条が、前記傾斜垂下片に形成された前記突条に係合するようになっている請求項１または２に記載の収納家具。
【請求項４】
前記嵌着部の上面には、前記ライン取手に対する摩擦力を高める滑り止め部材が取り付けられている請求項１、２または３に記載の収納家具。
【請求項５】
扉または引き出しの前板の下部にレール型のライン取手が取り付けられた家具本体と、
前記家具本体の前記ライン取手に着脱自在に装着される物品支持具と
を備えた収納家具において、
前記ライン取手は、
上面壁と、
前記上面壁の後端縁から垂下する後面壁と、
前記後面壁の下端縁から前方に張り出す下面壁と、
前記下面壁の前端縁から前方に向かって斜め上方に立ち上がる傾斜起立片とを備え、
前記物品支持具は、前方側から前記ライン取手に着脱自在に嵌着される嵌着部を備え、
前記嵌着部は、
前記傾斜起立片に対応する前面下部に形成された突条と、
前記ライン取手に嵌着する際、前記ライン取手の前記上面壁に当接しながら後方側に移動する円弧状に面取りされた後方側上端コーナー部及び前記ライン取手の前記後面壁に当接しながら下方側に移動する円弧状に面取りされた後方側下端コーナー部とを有し、
前記嵌着部を前記ライン取手に嵌着する際、前記嵌着部の前記突条が前記傾斜起立片を押圧することによって、前記傾斜起立片を前方側に向かって斜め下方に弾性変形させるようになっており、
前記嵌着部が前記ライン取手に嵌着された状態では、前記嵌着部が前記ライン取手の前記下面壁と前記上面壁との間または前記傾斜起立片と前記後面壁との間で突っ張るようになっていることを特徴とする収納家具。
【発明の詳細な説明】
【技術分野】
【０００１】
この発明は、家具本体の扉や引き出しの前板に取り付けられたレール型のライン取手に、タオル掛け等の物品支持具を着脱自在に装着するようにした収納家具に関する。
【背景技術】
【０００２】
この種の収納家具としては、流し台、調理台といったキッチンキャビネットや洗面化粧台等の洗面キャビネットがあり、例えば、図１９に示すように、キャビネットの扉５０の上端部に取り付けたアルミニウム製のレール型のライン取手６０にタオル掛け７０が着脱自在に装着されるようになっている。
【０００３】
前記ライン取手６０は、図２０（ｂ）に示すように、後方側が高くなるように湾曲した下面壁６１と、下面壁６１の後端縁から立ち上がる後面壁６２と、後面壁６２の上端縁から前方に張り出す上面壁６３と、上面壁６３の前端縁から垂下する垂下片６４とを備えており、垂下片６４の前面に凹部が形成されている。
【０００４】
前記タオル掛け７０は、図１９及び図２０（ａ）に示すように、ライン取手６０に着脱自在に取り付けられる左右一対のベース部材７１と、左右一対のベース部材７１の先端部に支持された掛止バー７４と、それぞれのベース部材７１をライン取手６０に固定する固定部材７５とから構成されている。
【０００５】
前記ベース部材７１は、図２０（ａ）及び図２１（ｂ）に示すように、前方側からライン取手６０に着脱自在に嵌合される嵌合部７２と、この嵌合部７２から斜め下方に張り出す張出部７３とを備えており、張出部７３の下端部に掛止バー７４が支持されていると共に、張出部７３の前面に形成された凹部には、固定部材７５が回転可能に取り付けられるようになっている。
【０００６】
以上のように構成されたタオル掛け７０をライン取手６０に取り付ける場合は、図２１（ａ）に示すように、ベース部材７１の嵌合部７２をライン取手６０に嵌め込んで、同図（ｂ）に示すように、固定部材７５を張出部７３に取り付けて回転させることによって、ライン取手６０の垂下片６４をベース部材７１の嵌合部７２と固定部材７５との間に挟み込むことで、ベース部材７１をライン取手６０に固定することになる。
【先行技術文献】
【特許文献】
【０００７】
【特許文献１】特開２００７−６８５５７号公報
【発明の概要】
【発明が解決しようとする課題】
【０００８】
以上のように、このタオル掛け７０は、キャビネットの前面側からライン取手６０に取り付けることはできるが、ライン取手６０に固定するためには、ベース部材７１の嵌合部７２をライン取手６０に嵌め込んだ後、固定部材７５をベース部材７１の張出部７３に取り付けて回転させるという固定操作が必要となるので、ライン取手６０に対する着脱作業が面倒であるといった問題がある。
【０００９】
そこで、この発明の課題は、物品支持具をライン取手にワンアクションで簡単に装着することができる収納家具を提供することにある。
【課題を解決するための手段】
【００１０】
上記の課題を解決するため、請求項１に係る発明は、扉または引き出しの前板にレール型のライン取手が取り付けられた家具本体と、前記家具本体の前記ライン取手に着脱自在に装着される物品支持具とを備えた収納家具において、前記ライン取手は、下面壁と、前記下面壁の後端縁から立ち上がる後面壁と、前記後面壁の上端縁から前方に張り出す上面壁と、前記上面壁の前端縁から前方に向かって斜め下方に垂下する傾斜垂下片とを備え、前記物品支持具は、前方側から前記ライン取手に着脱自在に嵌着される嵌着部を備え、前記嵌着部は、前記傾斜垂下片に対応する前面上部に形成された突条と、前記ライン取手に嵌着する際、前記ライン取手の前記下面壁に当接しながら後方側に移動する円弧状に面取りされた後方側下端コーナー部及び前記ライン取手の前記後面壁に当接しながら上方側に移動する円弧状に面取りされた後方側上端コーナー部とを有し、前記嵌着部を前記ライン取手に嵌着する際、前記嵌着部の前記突条が前記傾斜垂下片を押圧することによって、前記傾斜垂下片を前方側に向かって斜め上方に弾性変形させるようになっており、前記嵌着部が前記ライン取手に嵌着された状態では、前記嵌着部が前記ライン取手の前記上面壁と前記下面壁との間または前記傾斜垂下片と前記後面壁との間で突っ張るようになっていることを特徴とする収納家具を提供するものである。
【００１１】
請求項２に係る発明は、請求項１に係る発明の収納家具において、前記傾斜垂下片は、その前端縁が前記下面壁の前端縁よりも前方側に張り出していることを特徴としている。
【００１２】
請求項３に係る発明は、請求項１または２に係る発明の収納家具において、前記傾斜垂下片の前端縁には、後方側に突出する突条が形成されており、前記嵌着部を前記ライン取手に嵌着する際、前記嵌着部の前記突条が前記傾斜垂下片の前記突条を乗り越えるようになっており、前記ライン取手に嵌着した状態で、前記嵌着部に形成された前記突条が、前記傾斜垂下片に形成された前記突条に係合するようになっていることを特徴としている。
【００１３】
請求項４に係る発明は、請求項１、２または３に係る発明の収納家具において、前記嵌着部の上面には、前記ライン取手に対する摩擦力を高める滑り止め部材が取り付けられていることを特徴としている。
【００１４】
上記の課題を解決するため、請求項５に係る発明は、扉または引き出しの前板の下部にレール型のライン取手が取り付けられた家具本体と、前記家具本体の前記ライン取手に着脱自在に装着される物品支持具とを備えた収納家具において、前記ライン取手は、上面壁と、前記上面壁の後端縁から垂下する後面壁と、前記後面壁の下端縁から前方に張り出す下面壁と、前記下面壁の前端縁から前方に向かって斜め上方に立ち上がる傾斜起立片とを備え、前記物品支持具は、前方側から前記ライン取手に着脱自在に嵌着される嵌着部を備え、前記嵌着部は、前記傾斜起立片に対応する前面下部に形成された突条と、前記ライン取手に嵌着する際、前記ライン取手の前記上面壁に当接しながら後方側に移動する円弧状に面取りされた後方側上端コーナー部及び前記ライン取手の前記後面壁に当接しながら下方側に移動する円弧状に面取りされた後方側下端コーナー部とを有し、前記嵌着部を前記ライン取手に嵌着する際、前記嵌着部の前記突条が前記傾斜起立片を押圧することによって、前記傾斜起立片を前方側に向かって斜め下方に弾性変形させるようになっており、前記嵌着部が前記ライン取手に嵌着された状態では、前記嵌着部が前記ライン取手の前記下面壁と前記上面壁との間または前記傾斜起立片と前記後面壁との間で突っ張るようになっていることを特徴とする収納家具を提供するものである。
【発明の効果】
【００１５】
以上のように、請求項１に係る発明の収納家具は、物品支持具の嵌着部をライン取手に嵌着する際、嵌着部における円弧状に面取りされた後方側下端コーナー部がライン取手の下面壁に当接しながら後方側に移動すると共に、嵌着部における円弧状に面取りされた後方側上端コーナー部がライン取手の後面壁に当接しながら上方側に移動し、嵌着部の突条がライン取手における上面壁の前端縁から前方に向かって斜め下方に垂下した傾斜垂下片を押圧することによって、傾斜垂下片を前方側に向かって斜め上方に弾性変形させるようになっているので、物品支持具の嵌着部をライン取手に円滑かつ容易に嵌着することができ、しかも、嵌着部をライン取手に嵌着した状態では、嵌着部がライン取手の上面壁と下面壁との間または傾斜垂下片と後面壁との間で突っ張るようになっているので、嵌着部がライン取手に沿って移動しにくく、特に、固定操作を行わなくても、物品支持具をライン取手の任意の位置に簡単かつ確実に固定することができる。
【００１６】
また、請求項２に係る発明の収納家具では、ライン取手における傾斜垂下片の前端縁が下面壁の前端縁よりも前方側に張り出しているので、傾斜垂下片の前端縁と下面壁の前端縁との間に形成される開口が大きくなり、物品支持具の嵌着部をライン取手に挿入しやすくなると共に、傾斜垂下片が前方側に弾性変形し易くなり、物品支持具の嵌着部をライン取手により円滑かつ容易に嵌着することができる。
【００１７】
また、請求項３に係る発明の収納家具では、物品支持具の嵌着部をライン取手に嵌着する際、嵌着部の突条が傾斜垂下片の突条を乗り越えるようになっており、ライン取手に嵌着した状態で、嵌着部に形成された突条が、傾斜垂下片に形成された突条に係合するようになっているので、物品支持具の嵌着部がライン取手に完全に嵌着されたか否かを実感することができ、しかも、ライン取手に一旦嵌着された嵌着部がライン取手から外れにくいという効果がある。
【００１８】
また、請求項４に係る発明の収納家具では、ライン取手に対する摩擦力を高める滑り止め部材が物品支持具の嵌着部の上面に取り付けられているので、嵌着部がライン取手の下面壁と上面壁との間または傾斜起立片と後面壁との間で必要以上に突っ張らなくても、ライン取手に対する物品支持具の移動を阻止することができるので、物品支持具の嵌着部をライン取手にさらに嵌着し易くなるという効果がある。
【００１９】
また、請求項５に係る発明の収納家具は、物品支持具の嵌着部をライン取手に嵌着する際、嵌着部における円弧状に面取りされた後方側上端コーナー部がライン取手の上面壁に当接しながら後方側に移動すると共に、嵌着部における円弧状に面取りされた後方側下端コーナー部がライン取手の後面壁に当接しながら下方側に移動し、嵌着部の突条がライン取手における下面壁の前端縁から前方に向かって斜め上方に立ち上がる傾斜起立片を押圧することによって、傾斜起立片を前方側に向かって斜め下方に弾性変形させるようになっているので、物品支持具の嵌着部をライン取手に円滑かつ容易に嵌着することができ、しかも、嵌着部をライン取手に嵌着した状態では、嵌着部がライン取手の下面壁と上面壁との間または傾斜起立片と後面壁との間で突っ張るようになっているので、嵌着部がライン取手に沿って移動しにくく、物品支持具をライン取手の任意の位置に簡単かつ確実に固定することができる。
【図面の簡単な説明】
【００２０】
【図１】この発明に係る収納家具の一実施形態であるキッチンキャビネットを示す斜視図である。
【図２】同上のキッチンキャビネットにおけるタオル掛けの装着部分を示す部分正面図である。
【図３】同上のキッチンキャビネットにおけるタオル掛けの装着部分を示す部分側面図である。
【図４】（ａ）は同上のキッチンキャビネットを構成しているライン取手を示す斜視図、（ｂ）は同上のライン取手を示す縦断面図である。
【図５】（ａ）は同上のタオル掛けを示す斜視図、（ｂ）は同上のタオル掛けを示す平面図、（ｃ）は同上のタオル掛けを示す正面図、（ｄ）は同上のタオル掛けを示す側面図である。
【図６】（ａ）は同上のタオル掛けを構成しているベース部材を示す平面図、（ｂ）は同上のベース部材を示す側面図、（ｃ）は同上のベース部材を示す正面図、（ｄ）は同上のベース部材を示す背面図である。
【図７】（ａ）は同上のタオル掛けを構成しているアーム部材を示す平面図、（ｂ）は同上のアーム部材を示す側面図、（ｃ）は同上のアーム部材を示す正面図、（ｄ）は同上のアーム部材を示す背面図である。
【図８】図６（ａ）のＸ−Ｘ線に沿った断面図である。
【図９】図７（ａ）のＹ−Ｙ線に沿った断面図である。
【図１０】（ａ）は同上のタオル掛けのアームを下げた状態を示す断面図、（ｂ）は同上のタオル掛けのアームを上げた状態を示す断面図である。
【図１１】（ａ）、（ｂ）は同上のタオル掛けのライン取手への装着動作を示す説明図である。
【図１２】（ａ）、（ｂ）は同上のタオル掛けのライン取手への装着動作を示す説明図である。
【図１３】（ａ）、（ｂ）は同上のタオル掛けのライン取手への装着動作を示す説明図である。
【図１４】同上のタオル掛けを装着する際のライン取手の変形状態を示す拡大断面図である。
【図１５】同上のキッチンキャビネットにおけるタオル掛けのアーム部材を上げた状態を示す斜視図である。
【図１６】同上のキッチンキャビネットにおけるアーム部材を上げた状態のタオル掛けの装着部分を示す部分正面図である。
【図１７】同上のキッチンキャビネットにおけるアーム部材を上げた状態のタオル掛けの装着部分を示す部分側面図である。
【図１８】（ａ）は他の実施形態であるタオル掛けとライン取手を示す図、（ｂ）は同上のタオル掛けを同上のライン取手に装着した状態を示す図である。
【図１９】従来のキャビネットにおけるタオル掛けの装着部分を示す部分正面図である。
【図２０】（ａ）は同上のタオル掛けの断面図、（ｂ）は同上のキャビネットの扉に取り付けたライン取手を示す断面図である。
【図２１】（ａ）、（ｂ）は同上のタオル掛けのライン取手への装着動作を示す動作説明図である。
【発明を実施するための形態】
【００２１】
以下、実施の形態について図面を参照して説明する。図１〜図３は、本発明の収納家具であるベースキャビネット１を使用したシステムキッチンを示している。このベースキャビネット１は、同図に示すように、引き出しの前板２ａの上端部にレール型のライン取手１０が取り付けられたキャビネット本体２と、このキャビネット本体２のライン取手１０に着脱自在に装着されるタオル掛け２０とを備えており、キャビネット本体２の上端開口部には、シンク４等が連設されたワークトップ３が取り付けられている。
【００２２】
前記ライン取手１０は、図４（ａ）、（ｂ）に示すように、後端側が上方側に湾曲した下面壁１１と、この下面壁１１の後端縁から立ち上がる後面壁１２と、この後面壁１２の上端縁から前方に張り出す上面壁１３と、前端縁が下面壁１１の前端縁よりも前方側に張り出すように、上面壁１３の前端縁から前方に向かって斜め下方に垂下する傾斜垂下片１４とを備えており、傾斜垂下片１４の前端縁には、後方側に突出する突条１４ａが形成されている。
【００２３】
前記下面壁１１の下面には、その前端部、中間部及び後端部に脚部１５がそれぞれ連設されており、後端側の脚部１５の下端には、下方に垂下する、複数のビス孔１６ａが形成された取付片１６が連設されている。
【００２４】
また、このライン取手１０の両端部には、図３に示すように、後面壁１２の上部から上面壁１３、傾斜垂下片１４にわたって内側に張り出す合成樹脂製のキャップ１７が嵌着されている。
【００２５】
以上のように構成されたライン取手１０は、３本の脚部１５を引き出しの前板２ａの上端面に載せると共に、取付片１６を引き出しの前板２ａの後面上端部に重ね合わせた状態で、取付片１６を引き出しの前板２ａの後面上端部にビス止めすることで、前板２ａに取り付けられている。
【００２６】
前記タオル掛け２０は、図５（ａ）〜（ｄ）に示すように、ライン取手１０に着脱自在に取り付けられる左右一対のベース部材２１と、左右一対のベース部材２１の先端部に基端部がそれぞれ支持された、先端側が回動可能なアーム部材２５と、両端部が左右一対のアーム部材２５、２５の先端部に支持された、タオルをかけるための円筒状の掛止バー２９とから構成されている。
【００２７】
前記ベース部材２１は、図６（ａ）〜（ｄ）及び図８に示すように、前方側からライン取手１０に着脱自在に嵌着される嵌着部２１Ａと、この嵌着部２１Ａの下端部から前方側に張り出す張出部２１Ｂとを備えており、嵌着部２１Ａ及び張出部２１Ｂは、基板２２と、この基板２２の両側縁に連設された左右一対の側面板２３、２３とによって一体的に形成されている。
【００２８】
前記嵌着部２１Ａを構成している基板２２には、その前面上部に、ライン取手１０に嵌着した状態で、ライン取手１０を構成している傾斜垂下片１４に形成された突条１４ａに係合する、横方向に延びる突条２２ａが形成されていると共に、その上面に形成された凹部２２ｂに、ライン取手１０に対する摩擦力を高めるゴム製または軟質合成樹脂製の滑り止め部材２４が、その上面から僅かに突出した状態で取り付けられており、嵌着部２１Ａを構成している側面板２３、２３は、その後方側下端コーナー部２３ａ及び後方側上端コーナー部２３ｂが円弧状に面取りされていると共に、その下端縁に、ライン取手１０を構成している下面壁１１の前端縁が嵌合する段部２３ｃが形成されている。
【００２９】
前記張出部２１Ｂを構成している基板２２は、その前方側に、張出部２１Ｂを構成している側面板２３、２３に連設されておらず、上下方向に弾性変形可能な弾性変形部２２ｃを備えており、この弾性変形部２２ｃは、その前端側が下方側に垂下した垂下部２２ｄと、この垂下部２２ｄの後方側を下方側に窪ませることによって形成された、上方側に突出した突条２２ｅとを有している。
【００３０】
前記張出部２１Ｂを構成している側面板２３、２３は、基板２２に連設されていない前端部の外面に、アーム部材２５を回動可能に支持するための円形の突起２３ｄ、２３ｄが形成されており、この前端部の下縁には、凹部２３ｅが形成されている。
【００３１】
前記アーム部材２５は、図７（ａ）〜（ｄ）及び図９に示すように、先端側に向かって徐々に幅狭になるように形成された略台形状の基板２６と、この基板２６の両側縁にそれぞれ連設されたフラットな側面板２７Ａ及び湾曲した側面板２７Ｂと、幅狭の先端部に形成された、掛止バー２９を支持する支持部２８とを備えており、側面板２７Ａ、２７Ｂは、その後端部側が基板２６から張り出している。
【００３２】
前記側面板２７Ａ、２７Ｂの張出部には、円形孔２７ａが形成されており、この円形孔２７ａに、ベース部材２１の張出部２１Ｂに形成された突起２３ｄを嵌め込むことによって、アーム部材２５がベース部材２１に回動可能に支持されるようになっている。
【００３３】
前記基板２６の後端部には、その内面側に突出する係止片２６ａが一方の側面板２７Ａから他方の側面板２７Ｂにわたって形成されており、図１０（ａ）に示すように、係止片２６ａが、ベース部材２１の張出部２１Ｂに形成された凹部２３ｅに嵌合することで、アーム部材２５の前後方向へのバタツキが防止されるようになっており、同図（ｂ）に示すように、アーム部材２５の先端側を持ち上げると、係止片２６ａが、ベース部材２１の張出部２１Ｂに形成された弾性変形部２２ｃを下方側に弾性変形させながら突条２２ｅを乗り越えて、初期位置に復帰した突条２２ｅの後面に係止されることで、掛止バー２９をライン取手１０よりも上側に位置決めすることができるようになっている。
【００３４】
前記支持部２８は、一方の側面板２７Ａに形成された円形凹部２８ａと、その側面板２７Ａから突出するように、円形凹部２８ａ内に配設された小径の円筒部２８ｂとから構成されており、円筒状の掛止バー２９の端部を、円形凹部２８ａと小径の円筒部２８ｂとの間に形成された隙間に嵌入することで、掛止バー２９を支持するようになっている。
【００３５】
以上のように構成されたタオル掛け２０をキャビネット本体２のライン取手１０に装着する場合は、図１１（ａ）、（ｂ）に示すように、ベース部材２１の嵌着部２１Ａが斜めになるように、タオル掛け２０全体を傾けた状態で、キャビネット本体２の前面側からライン取手１０の下面壁１１と傾斜垂下片１４との間に挿入し、嵌着部２１Ａの円弧状に面取りされた後方側上端コーナー部２３ｂを後面壁１２に当接させる。
【００３６】
続いて、図１２（ａ）に示すように、嵌着部２１Ａの円弧状に面取りされた後方側下端コーナー部２３ａを下面壁１１に当接させ、同図（ｂ）及び図１３（ａ）に示すように、後方側上端コーナー部２３ｂを後面壁１２に当接させた状態で上方側に移動させると共に、後方側下端コーナー部２３ａを下面壁１１に当接させた状態で上方側に移動させると、図１４に実線で示すように、嵌着部２１Ａに形成された突条２２ａが傾斜垂下片１４に形成された突条１４ａを前面側に押圧することで、傾斜垂下片１４及び上面壁１３を前方側に向かって斜め上方に弾性変形させながら、嵌着部２１Ａの突条２２ａが傾斜垂下片１４の突条１４ａを乗り越え、図１３（ｂ）に示すように、嵌着部２１Ａの突条２２ａと傾斜垂下片１４の突条１４ａとが相互に係合した状態で、タオル掛け２０がライン取手１０に装着される。
【００３７】
タオル掛け２０がライン取手１０に装着された状態では、嵌着部２１Ａがライン取手１０の上面壁１３と下面壁１１との間で突っ張るようになっており、これによって、ゴム製または軟質合成樹脂製の滑り止め部材２４がライン取手１０の上面壁１３に密着し、ライン取手１０に対するタオル掛け２０の移動が阻止されるようになっている。
【００３８】
また、タオル掛け２０がライン取手１０に装着された状態では、下面壁１１の前端縁が嵌着部２１Ａの段部２３ｃに嵌合すると共に、嵌着部２１Ａの後方側下端コーナー部２３ａが、湾曲した下面壁１１と後面壁１２とによって形成されるライン取手１０の下端コーナー部に嵌合するようになっている。
【００３９】
このようにして、キャビネット本体２のライン取手１０に装着されたタオル掛け２０は、図１５〜図１７に示すように、タオル掛け２０のアーム部材２５を持ち上げて、掛止バー２９をライン取手１０よりも上側に位置決めした状態で、その掛止バー２９にタオルを掛けて使用することになる。
【００４０】
以上のように、このベースキャビネット１では、タオル掛け２０の嵌着部２１Ａをライン取手１０に嵌着する際、嵌着部２１Ａにおける円弧状に面取りされた後方側下端コーナー部２３ａがライン取手１０の下面壁１１に当接しながら後方側に移動すると共に、嵌着部２１Ａにおける円弧状に面取りされた後方側上端コーナー部２３ｂがライン取手１０の後面壁１２に当接しながら上方側に移動し、嵌着部２１Ａの突条２２ａがライン取手１０における上面壁１３の前端縁から前方に向かって斜め下方に垂下した傾斜垂下片１４を押圧することによって、傾斜垂下片１４を前方側に弾性変形させるようになっているので、タオル掛け２０の嵌着部２１Ａをライン取手１０に円滑かつ容易に嵌着することができ、しかも、嵌着部２１Ａをライン取手１０に嵌着した状態では、嵌着部２１Ａがライン取手１０の上面壁１３と下面壁１１との間で突っ張るようになっているので、嵌着部２１Ａがライン取手１０に沿って移動しにくく、嵌着部２１Ａをライン取手１０に別途固定しなくても、タオル掛け２０をライン取手１０の任意の位置に簡単かつ確実に固定することができる。
【００４１】
特に、このベースキャビネット１では、ライン取手１０における傾斜垂下片１４の前端縁が下面壁１１の前端縁よりも前方側に張り出しているので、傾斜垂下片１４の前端縁と下面壁１１の前端縁との間に形成される開口が大きくなり、タオル掛け２０の嵌着部２１Ａをライン取手１０に挿入しやすくなると共に、傾斜垂下片１４が前方側に弾性変形し易くなり、タオル掛け２０の嵌着部２１Ａをライン取手１０により円滑かつ容易に嵌着することができる。
【００４２】
また、このベースキャビネット１では、タオル掛け２０の嵌着部２１Ａをライン取手１０に嵌着する際、嵌着部２１Ａの突条２２ａが傾斜垂下片１４の突条１４ａを乗り越えるようになっており、ライン取手１０に嵌着した状態で、嵌着部２１Ａに形成された突条２２ａが、傾斜垂下片１４に形成された突条１４ａに係合するようになっているので、タオル掛け２０の嵌着部２１Ａがライン取手１０に完全に嵌着されたか否かを実感することができ、しかも、ライン取手１０に一旦嵌着された嵌着部２１Ａがライン取手１０から外れにくいという効果がある。
【００４３】
また、このベースキャビネット１では、ライン取手１０に対する摩擦力を高める滑り止め部材２４がタオル掛け２０の嵌着部２１Ａの上面に取り付けられているので、嵌着部２１Ａがライン取手１０の下面壁１１と上面壁１３との間で必要以上に突っ張らなくても、ライン取手１０に対するタオル掛け２０の移動を阻止することができるので、タオル掛け２０の嵌着部２１Ａをライン取手１０にさらに嵌着し易くなるという効果がある。
【００４４】
また、このベースキャビネット１では、タオル掛け２０の嵌着部２１Ａを構成している弾性変形部２２ｃは、その前端側が下方側に垂下した垂下部２２ｄを有しているので、アーム部材２５を下げた状態で、アーム部材２５における基板２６から張り出した側面板２７Ａ、２７Ｂの張出部の間が、垂下部２２ｄによって隠蔽され、体裁がよい。
【００４５】
また、ライン取手１０に装着されたタオル掛け２０は、そのアーム部材２５を持ち上げて、掛止バー２９をライン取手１０よりも上側に位置決めした状態で使用することができるので、使いやすく、また、タオルを掛けないときは、アーム部材２５を下げることによって、アーム部材２５を前面側に張り出さない状態にすることができるので、タオル掛け２０がキッチン使用者の邪魔にならない。
【００４６】
なお、上述した実施形態では、引き出しの前板２ａの上端部に取り付けられたライン取手１０にタオル掛け２０を着脱自在に装着するベースキャビネット１について説明したが、これに限定されるものではなく、扉の上端部にライン取手１０が取り付けられたベースキャビネットについても、本発明を適用することができることはいうまでもない。
【００４７】
また、上述した実施形態では、システムキッチンのベースキャビネットについて説明したが、これに限定されるものではなく、例えば、引き出しや扉等の上端部にライン取手が取り付けられている種々の収納家具について本発明を適用することができる。
【００４８】
また、上述した実施形態では、ライン取手にタオル掛けを着脱自在に装着する場合について説明したが、これに限定されるものではなく、キッチンペーパーホルダー、調理器具掛けといった種々の物品支持具をライン取手に取り付ける場合に本発明を適用することができる。
【００４９】
また、上述した実施形態において採用しているタオル掛け２０は、ライン取手１０に着脱自在に取り付けられる左右一対のベース部材２１、２１に、掛止バー２９を支持する左右一対のアーム部材２５、２５を回動可能に取り付け、使用する際は、掛止バー２９をライン取手１０よりも上側に位置決めすることができるようになっているが、これに限定されるものではなく、例えば、ベース部材に掛止バーが直接固定された通常のタオル掛けであってもよい。
【００５０】
また、上述した実施形態では、タオル掛け２０の嵌着部２１Ａをライン取手１０に嵌着した状態で、嵌着部２１Ａがライン取手１０の上面壁１３と下面壁１１との間で突っ張るようになっているが、これに限定されるものではなく、例えば、傾斜垂下片１４と後面壁１２との間で突っ張るようにしてもよい。
【００５１】
また、上述した実施形態では、引き出しの前板２ａの上端部にライン取手１０が取り付けられたベースキャビネット１について説明したが、これに限定されるものではなく、例えば、扉の下端部にライン取手が取り付けられた吊り戸棚に種々の物品支持具を取り付ける場合についても、本発明を適用することができ、その場合は、上述したライン取手１０の上下関係をそのままの状態で取り付けてもよく、上下を反転した状態で取り付けることも可能である。
【００５２】
上下を反転した状態でライン取手を取り付ける場合は、例えば、図１８（ａ）、（ｂ）に示すように、上面壁３１と、上面壁３１の後端縁から垂下する後面壁３２と、後面壁３２の下端縁から前方に張り出す下面壁３３と、下面壁３３の前端縁から前方に向かって斜め上方に立ち上がる傾斜起立片３４とを備えたライン取手３０を採用すると共に、ライン取手３０に着脱自在に取り付けられる左右一対のベース部材４１と、左右一対のベース部材４１の先端部に支持された、タオルをかけるための円筒状の掛止バー４５とから構成されるタオル掛け４０を採用することになる。
【００５３】
タオル掛け４０は、そのベース部材４１を、前方側からライン取手３０に着脱自在に嵌着される嵌着部４１Ａと、この嵌着部４１Ａの上端部から前方側に張り出す張出部４１Ｂとによって構成し、嵌着部４１Ａには、その前面下部に、ライン取手３０に嵌着した状態で、ライン取手３０を構成している傾斜起立片３４に形成された突条３４ａに係合する突条４２を形成すると共に、後方側上端コーナー部４３ａ及び後方側下端コーナー部４３ｂを円弧状に面取りし、下面に形成した凹部に滑り止め部材４４を取り付ければよい。
【００５４】
そして、嵌着部４１Ａの後方側上端コーナー部４３ａを上面壁３１に当接させた状態で後方側に移動させると共に、後方側下端コーナー部４３ｂを後面壁３２に当接させた状態で下方側に移動させると、嵌着部４１Ａに形成された突条４２が傾斜起立片３４に形成された突条３４ａを前面側に押圧することで、傾斜起立片３４及び下面壁３３を前方側に向かって斜め下方に弾性変形させながら、嵌着部４１Ａの突条４２が傾斜起立片３４の突条３４ａを乗り越え、嵌着部４１Ａの突条４２と傾斜起立片３４の突条３４ａとが相互に係合した状態で、タオル掛け４０がライン取手３０に装着される。
【産業上の利用可能性】
【００５５】
本発明は、家具本体の扉や引き出しの前板に取り付けられたレール型のライン取手に、タオル掛け等の物品支持具を着脱自在に装着するキッチンキャビネットや取り戸棚等の収納家具に利用することができる。
【符号の説明】
【００５６】
１  ベースキャビネット
２  キャビネット本体
２ａ  前板
３  ワークトップ
４  シンク
１０  ライン取手
１１  下面壁
１２  後面壁
１３  上面壁
１４  傾斜垂下片
１４ａ  突条
１５  脚部
１６  取付片
１６ａ  ビス孔
１７  キャップ
２０  タオル掛け
２１  ベース部材
２１Ａ  嵌着部
２１Ｂ  張出部
２２  基板
２２ａ  突条
２２ｂ  凹部
２２ｃ  弾性変形部
２２ｄ  垂下部
２２ｅ  突条
２３  側面板
２３ａ  後方側下端コーナー部
２３ｂ  後方側上端コーナー部
２３ｃ  段部
２３ｄ  突起
２３ｅ  凹部
２４  滑り止め部材
２５  アーム部材
２６  基板
２６ａ  係止片
２７Ａ、２７Ｂ  側面板
２７ａ  円形孔
２８  支持部
２８ａ  円形凹部
２８ｂ  円筒部
２９  掛止バー
３０  ライン取手
３１  上面壁
３２  後面壁
３３  下面壁
３４  傾斜起立片
３４ａ  突条
４０  タオル掛け
４１  ベース部材
４１Ａ  嵌着部
４１Ｂ  張出部
４２  突条
４３ａ  後方側上端コーナー部
４３ｂ  後方側下端コーナー部
４４  滑り止め部材
４５  掛止バー
【図１】
0005479200.tif 000002
【図２】
0005479200.tif 000003
【図３】
0005479200.tif 000004
【図４】
0005479200.tif 000005
【図５】
0005479200.tif 000006
【図６】
0005479200.tif 000007
【図７】
0005479200.tif 000008
【図８】
0005479200.tif 000009
【図９】
0005479200.tif 000010
【図１０】
0005479200.tif 000011
【図１１】
0005479200.tif 000012
【図１２】
0005479200.tif 000013
【図１３】
0005479200.tif 000014
【図１４】
0005479200.tif 000015
【図１５】
0005479200.tif 000016
【図１６】
0005479200.tif 000017
【図１７】
0005479200.tif 000018
【図１８】
0005479200.tif 000019
【図１９】
0005479200.tif 000020
【図２０】
0005479200.tif 000021
【図２１】
0005479200.tif 000022